(57)【要約】【課題】内容物を小分けして取り出すことのできる、定量シリンジ型噴出器を提供する。【解決手段】定量シリンジ型噴出器10は、シリンジ20とプランジャ30とを備え、プランジャ30は、ピストンシャフト40と操作シャフト50とを有し、ピストンシャフト40に設けたアーム42にシリンジ内周面20fを摺動可能なガイド突起43と、シリンジ後端40eに係止されるストッパ44が設けられたものであり、アーム42と操作シャフト50に、アーム自由端42bを押圧してシリンジ20との間で拘束しつつガイド突起43をシリンジ内周面40fで摺動させることでアーム42に撓み変形を生じさせる押圧部45a,53aと、アーム43の内側を操作シャフト50に接触させてアーム42の内向きの変形を阻止するとともに、アーム42の内側から操作シャフト50を引き戻して当該接触を解除して、ガイド突起43を基点にアーム自由端42bを内向きに復元させることで、ストッパ44の係止を解除するストッパ解除部45b,53bを設けた。【選択図】図３
2014068886.tif 000002
【特許請求の範囲】
【請求項１】
指掛け部を有するシリンジと、当該シリンジ内に押し込み可能なプランジャとを備える定量シリンジ型噴出器であって、
プランジャは、先端にピストンを有するピストンシャフトと、当該ピストンシャフトの後端に配置されるとともに使用者が操作する操作シャフトとを有し、
ピストンシャフトは、後方に向かって伸びる複数のアームが一体に設けられているとともに、当該アームに、シリンジの後端開口部から進入して当該シリンジの内周面を摺動可能なガイド突起と、当該ガイド突起の摺動に次いでシリンジの後端に係止されるストッパが設けられたものであるとともに、
アームと操作シャフトに、アームの自由端を押圧してシリンジとの間で拘束しつつガイド突起をシリンジの内周面で摺動させることで当該アームに撓み変形を生じさせる押圧部と、
アームの内側を操作シャフトに接触させてアームの内向きの変形を阻止するとともに、当該アームの内側から操作シャフトを引き戻して当該接触を解除して、ガイド突起を基点にアームの自由端を内向きに復元させることで、ストッパの係止を解除するストッパ解除部を設けたことを特徴とする定量シリンジ型噴出器。
【請求項２】
請求項１において、アームと操作シャフトにそれぞれ、互いに引き戻し可能に嵌合する凹部と凸部を設け、前記押圧部は、凹部底面と凸部端面からなり、前記ストッパ解除部は、凹部側面と凸部側面からなることを特徴とする定量シリンジ型噴出器。
【請求項３】
請求項１又は２において、ピストンシャフト及び操作シャフトに、当該操作シャフトを抜け止め保持する係止部を設けたことを特徴とする定量シリンジ型噴出器。
【請求項４】
請求項１乃至３のいずれか１項において、アームの自由端をテーパ面に形成したことを特徴とする定量シリンジ型噴出器。
【請求項５】
請求項１乃至４のいずれか１項において、シリンジの先端部に噴霧ノズルを設けたことを特徴とする定量シリンジ型噴出器。
【発明の詳細な説明】
【技術分野】
【０００１】
本発明は、指掛け部を有するシリンジと、当該シリンジ内に押し込み可能なプランジャとを備える定量シリンジ型噴出器であって、プランジャの押し込みを段階的に行うための技術に関するものである。
【背景技術】
【０００２】
シリンジ型噴出器には、例えば、シリンジ内にプランジャを押し込んで薬液などの内容物を取り出すものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、シリンジ内にプランジャを押し込むにすぎないため、内容物を小分けして噴出することが困難であった。
【０００５】
本発明の目的とするところは、内容物を小分けして噴出することができる、新規な定量シリンジ型噴出器を提供することにある。
【課題を解決するための手段】
【０００６】
本発明は、指掛け部を有するシリンジと、当該シリンジ内に押し込み可能なプランジャとを備える定量シリンジ型噴出器であって、
プランジャは、先端にピストンを有するピストンシャフトと、当該ピストンシャフトの後端に配置されるとともに使用者が操作する操作シャフトとを有し、
ピストンシャフトは、後方に向かって伸びる複数のアームが一体に設けられているとともに、当該アームに、シリンジの後端開口部から進入して当該シリンジの内周面を摺動可能なガイド突起と、当該ガイド突起の摺動に次いでシリンジの後端に係止されるストッパが設けられたものであるとともに、
アームと操作シャフトに、アームの自由端を押圧してシリンジとの間で拘束しつつガイド突起をシリンジの内周面で摺動させることで当該アームに撓み変形を生じさせる押圧部と、
アームの内側を操作シャフトに接触させてアームの内向きの変形を阻止するとともに、当該アームの内側から操作シャフトを引き戻して当該接触を解除して、ガイド突起を基点にアームの自由端を内向きに復元させることで、ストッパの係止を解除するストッパ解除部を設けたことを特徴とするものである。
【０００７】
本発明では、アームと操作シャフトにそれぞれ、互いに引き戻し可能に嵌合する凹部と凸部を設け、前記押圧部は、凹部底面と凸部端面からなり、前記ストッパ解除部は、凹部側面と凸部側面からなるものとすることができる。
【０００８】
加えて、ピストンシャフト及び操作シャフトに、当該操作シャフトを抜け止め保持する係止部を設けることができる。また、アームの自由端をテーパ面に形成することもできる。さらに本発明によれば、シリンジの先端部には、噴霧ノズルを設けることができる。
【発明の効果】
【０００９】
本発明では、操作シャフトを押し込むと、当該操作シャフトが、アームの自由端を押圧してシリンジとの間で拘束するとともに、当該アームのガイド突起をシリンジの内周面で摺動させることで当該アームにはガイド突起を起点とした撓み変形が生じる。このため、プランジャは、ガイド突起が邪魔になることなく押し込まれることで、当該ガイド突起に次いでアームに設けたストッパがシリンジの後端に係止されるまで、１回目の噴出が可能になる。
【００１０】
このとき、アームは、その内側が操作シャフトに接触することで、内向きの変形が阻止されるため、ストッパの係止が解除されることがない。一方、操作シャフトをアームの内側から引き戻すと、アームの自由端の拘束が解除されるとともに当該接触が解除される。このとき、アームが、ガイド突起を起点に斜め内向きに変形することで、アームの自由端側は内向きに変位する。このため、ストッパもアームの自由端側に追従するように斜め内向きに変位することで、当該ストッパの係止が解除される。これにより、再び操作シャフトを押し込めば、２回目の噴出が可能になる。
【００１１】
従って、本発明によれば、内容物を小分けして取り出すことができる。また、本発明によれば、アームの内側が操作シャフトに接触することで、アームの内向きの変形が阻止されるため、操作シャフトをアームの内側から引き戻すまで、ストッパの係止が解除されることがない。このため、１回目の噴出の途中にプランジャの押し込みを緩めたり、解除しても、アームはシリンジに対して係止した状態を維持する。従って、１回目の噴出途中にプランジャの押し込みを停止しても、１回目の定量を正確に行うことができる。
【図面の簡単な説明】
【００１２】
【図１】本発明の一実施形態である点鼻薬噴霧器であって、その操作前の初期状態を一部断面で示す一側面図及び、その一部拡大図である。
【図２】同実施形態に係る、ピストンシャフトを後方から模式的に示すとともに、操作シャフトを先端側から模式的に示した平面図である。
【図３】同実施形態にあって、１回目の噴出が完了した状態を一部断面で示す側面図である。
【図４】同実施形態にあって、２回目の噴出を開始するために操作シャフトを引き戻した状態を一部断面で示す側面図である。
【図５】同実施形態にあって、２回目の噴出を開始するために操作シャフトの押し込みを開始する直前の状態を一部断面で示す側面図及び、その一部拡大図である。
【図６】同実施形態にあって、２回目の噴霧が完了した状態を一部断面で示す一側面図である。
【発明を実施するための形態】
【００１３】
以下、図面を参照して、本発明の一実施形態である点鼻薬噴霧器１０を詳細に説明する。
【００１４】
図１中、符号２０は、内容物としての点鼻薬Ｃを充填可能な合成樹脂製の定量シリンジである。シリンジ２０は、中空の胴部２１を有し、この胴部２１には、肩部２２を介して先端部２３が一体に繋がる。先端部２３は、胴部２１よりも小径としてなる。また、胴部２１には、先端部２３と対向する後端部に、指掛け部２４が一体に設けられている。指掛け部２４には、シリンジ２０内を外界に通じさせる開口部Ａ２が形成されている。指掛け部２４は、胴部２１と一体に設けることができる。これにより、指掛け部２４の後端は、シリンジ２０の後端２０ｅを構成する。
【００１５】
符号３０は、シリンジ２０内に収納される合成樹脂製のプランジャである。プランジャ３０は、ピストンシャフト４０と、このピストンシャフト４０の後方に配置される操作シャフト５０とを有する。
【００１６】
ピストンシャフト４０は、ピストンＰを保持する保持部本体４１を備える。保持部本体４１は、図２に示すように、縦長の４枚のプレート部４１ａと、ディスク部４１ｂとを一体に設けてなる。ディスク部４１ｂには、貫通孔Ａ３が形成されている。貫通孔Ａ３は、プレート部４１ａを切り欠いて形成した開放空間Ｓに通じる。貫通孔Ａ３は、同図に示すように、ディスク部４１ｂの内周面４１ｆが先端（ピストンＰ）に向かって縮径するテーパ面で構成されている。
【００１７】
また、保持部本体４１には、２つのアーム４２が一体に設けられている。アーム４２は、貫通孔Ａ３を挟んで対向する位置に配置されている。アーム４２はそれぞれ、同図に示すように、平板状の形状を有し、ディスク部４１ｂから軸線Ｏに沿って後方に伸びる。アーム４２はそれぞれ、外力を負荷することによって固定端４２ａを起点に径方向（軸線Ｏに直交する方向）内向きに変形させることができるとともに、その負荷を解除することによって初期位置に復元させることができる。これにより、アームの自由端４２ｂは、径方向内向きに変位させることができるとともに、初期位置に復帰させることができる。本形態では、アーム４２は薄肉に形成されていることで、その変形及び復元がしやすく構成されている。
【００１８】
アーム４２には、ガイド突起４３が設けられている。ガイド突起４３は、先端に向かって先細りに傾斜する傾斜面４３ｆを有する。これにより、ガイド突起４３は、シリンジ２０の後端開口部Ａ２から進入して、シリンジ２０の内周面２０ｆを摺動するため、プランジャ３０の押し込みを許容する。また、図１に示すように、軸線Ｏを挟んで向い合う２つのガイド突起４３は、その間の径方向長さがシリンジ２０の内径（本形態では、シリンジの後端開口部Ａ２と同径）よりも大きく設定されている。これにより、ガイド突起４３は、シリンジ２０の後端開口部Ａ２に接触すると、アーム４２が固定端４２ａを起点に撓み変形することで、シリンジ２０に進入する。本形態では、ガイド突起４３は、その傾斜面４３ｆが先端に向かって先細りに傾斜していることから、シリンジの後端開口部Ａ２からシリンジ２０内に容易に進入させることができる。また、ガイド突起４３は、アーム４２が固定端４２ａを起点に撓み変形することで、シリンジの内周面２０ｆを摺動することができる。
【００１９】
さらに、アーム４２には、ストッパ４４が一体に設けられている。２つのストッパ４４も、その間の径方向長さがシリンジ２０の内径よりも大きく設定されている。これにより、ストッパ４４は、シリンジ２０の後端開口部Ａ２に接触することで、ピストンシャフト４０がシリンジ２０に進入することを阻止する。
【００２０】
本形態では、ストッパ４４は、アーム４２の自由端部分に一体に形成されている。これにより、本形態では、ストッパ４４の後端面は、アーム４２の自由端４２ｂとして構成される。なお、本形態では、図１の拡大図に示すように、アームの自由端４２ｂは、軸線Ｏに直交する水平線に対して外向きに角度θで減少するテーパをつけて形成されているが、この水平線に対して平行な平坦面を形成することも可能である。θの値は、点鼻薬噴出器の大きさ等に応じて、適宜変更することができる。例えば、θは、アーム４２が内側に傾いたときに、軸線Ｏに直交する水平線と平行になるように設定する。
【００２１】
また、本形態では、ストッパ４４に段差としてなる凹部４５が設けられている。凹部４５は、アーム４２の内側に形成されている。本形態では、図１の拡大図に示すように、凹部４５（図面では、例示的に、アームの一方のみ付記）は、平坦な凹部底面４５ａと、この凹部底面４５ａに繋がる凹部側面４５ｂで形作られる。
【００２２】
さらに、図２に示すように、保持部本体４１には、アーム４２よりも厚肉に形成された２つの支持部４６が一体に設けられている。支持部４６は、貫通孔Ａ３を挟んで対向する位置に配置されている。支持部上端面４６ａはそれぞれ、ディスク部４１ｂからの長さがアーム４２に設けた凹部底面４５ａと同一の平坦な面を構成する。
【００２３】
一方、操作シャフト５０は、操作部本体５１を有し、その後端には、使用者がプランジャ３０を押し込むための操作部５２が一体に設けられている。操作部本体５１は、図２に示すように、円筒形状をなしている。操作部本体５１は、その先端部が凸部５３として構成されている。凸部５３は、円柱形状をなし、平坦な凸部端面５３ａと、この凸部端面５３ａに繋がる凸部側面５３ｂで形作られる。凸部端面５３ａは、図１の拡大図に示すように、ピストンシャフト４０の凹部底面４５ａ及び支持部上端面４６ａに接触する。これにより、凸部端面５３ａは、操作シャフト５０を押し込むことで、ピストンシャフト４０の凹部底面４５ａ及び支持部上端面４６ａを押圧し、プランジャ４０全体としての押し込みを生じさせる。すなわち、凹部底面４５ａ及び凸部端面５３ａは、アーム４２を拘束するとともにピストンシャフト４０を押圧する押圧部を構成する。これに対し、凸部側面５３ｂは、ピストンシャフト４０の凹部側面４５ｂに摺動可能に接触する。これにより、凸部側面５３ｂは、同図に示すように、凹部側面４５ｂに沿って差し込まれた状態では、アーム４６の内向きの変形を阻止し、操作シャフト５０の引き戻しにより互いの接触を解除することができる。すなわち、凹部側面４５ｂ及び凸部側面５３ｂは、ストッパ４４の解除を可能にするストッパ解除部を構成する。
【００２４】
また、操作部本体５１には、シャフト５４が一体に設けられている。シャフト５４は、凸部端面５３ａよりも小径のシャフト本体５４ａを有する。シャフト本体５４ａは、凸部端面５３ａから軸線Ｏに沿って先端方向に伸びる。シャフト本体５４ａの先端には、シャフト本体５４ａよりも大径のヘッド５４ｂが一体に設けられている。ヘッド５４ｂは、図２に示すように、先端に向かって先細りする傾斜面５４ｆを有する。シャフト５４は、ピストンシャフト４０に形成された貫通孔Ａ３に嵌合保持される。貫通孔Ａ３は、シャフト本体５４ａよりも大きくヘッド５４ｂよりも小さい内径を有し、図１に示すように、シャフト本体５４ａを貫通させるとともに、ヘッド５４ｂを抜け止め保持する。ヘッド５４ｂとディスク部４１ｂの内周面４１ｆとは、ピストンシャフト４０を操作シャフト５０に抜け止め保持する係止部として機能する。特に、本形態では、内周面４１ｆが後方に向かって縮径するテーパ面で構成されている。これにより、ヘッド５４ｂをディスク部４１ｂの下端面（ピストンＰに近い端面）に容易に組み付けることができる。また、プレート部４１ａを切り欠いて形成した開放空間Ｓは、ヘッド５４ｂを軸線Ｏに沿って前後に移動させることができる遊び空間を形成する。これにより、ピストンシャフト４０と操作シャフト５０を、互いに軸線Ｏに沿って移動可能に連結することができる。
【００２５】
ピストンＰは、保持部本体４１の先端部に設けられており、シリンジ２０内に収納される。ピストンＰは、例えば、ゴムなどの弾性材料からなり、シリンジ胴部２１の内周面２０ｆに摺動可能に保持されている。
【００２６】
シリンジ２０とピストンＰとの間には空間Ｒが形成されている。空間Ｒには、点鼻薬Ｃが充填される。空間Ｒに充填された点鼻薬Ｃは、ピストンＰの押し込みによって、先端部２３に形成した貫通孔Ａ１に圧送される。
【００２７】
図１中、符号６０は、シリンジ先端部２３に装着されるノズルである。ノズル６０は、噴霧チップ６１を内蔵し、貫通孔Ａ１を通って圧送された点鼻薬Ｃを噴出孔Ａ４より噴出させることができる。
【００２８】
ここで、本実施形態の使用方法を説明する。
使用者は先ず、図１に示す状態で、人差し指と中指を指掛け部２４に掛けて操作部５２を親指で押さえてノズル６０を一方の鼻の穴に挿入した後、操作シャフト５０を押し込む。すると、図１の拡大図に示すように、操作シャフト５０の凸部５３のうち、凸部端面５３ａ（以下、「押圧部５３ａ」）がピストンシャフト４０の凹部底面４５ａ（以下、「押圧部４５ａ」）及び支持部上端面４６ａを押圧するため、ピストンシャフト４０も操作シャフト５０とともに押し込まれる。このとき、ピストンシャフト４０のガイド突起４３は、後端側に向かうに従って径方向外向きに傾斜するため、シリンジ後端開口部Ａ２からシリンジ２０内に進入することができる。
【００２９】
また、ピストンシャフト４０は、操作シャフト５０の押圧部５３ａがアーム４２の押圧部４５ａに接触してアーム４２の自由端４２ｂを押圧してシリンジ２０との間で拘束するとともに、ガイド突起４３をシリンジの内周面２０ｆで摺動させることで、図３に示すように、アーム４２には、固定端４２ａと自由端４２ｂとの間に、ガイド突起４３を起点にした撓み変形が生じる。このため、ガイド突起４３は、シリンジの内周面２０ｆを摺動することができる。これにより、同図に示すように、プランジャ３０は、ガイド突起４３が邪魔になることなく押し込まれることで、当該ガイド突起４３に次いでストッパ４４がシリンジの後端２０ｅに接触するまで、噴出孔Ａ４から点鼻薬Ｃを鼻の穴に一定量噴出させることができる。
【００３０】
ストッパ４４がシリンジの後端２０ｅに接触すると、プランジャ３０を押し込むことができなくなるので、空間Ｒに点鼻薬Ｃを残した状態で１回目の噴出は終了する。この時点での空間Ｒの容量は、使用目的に応じて適宜選択できるが、例えば、噴出開始前の空間Ｒの容量の半分とする。
【００３１】
このとき、アーム４２は、その凹部側面４５ｂ（以下、「ストッパ解除部４５ｂ」）が操作シャフト５０の凸部側面５３ｂ（以下、「ストッパ解除部５３ｂ」）に接触することで、アーム４２の内向きの変形が阻止されるため、ストッパ４４の係止が解除されることがない。一方、操作シャフト５０をアーム４２から引き戻すと、図４に示すように、アームの自由端４２ｂの拘束が解除されるとともに、ストッパ解除部４５ｂとストッパ解除部５３ｂとの接触が解除される。このとき、アーム４２は、同図に示すように、ガイド突起４３を起点に斜め内向きに変形することで、アームの自由端４２ｂ側も内向きに変位する。このため、同図に示すように、ストッパ４４もアームの自由端４２ｂ側に追従するように斜め内向きに変位することで、当該ストッパ４４の係止状態が解除される。
【００３２】
本形態では、操作シャフト５０を引き戻した後、図５に示すように、再度操作シャフト５０を押し込めば、同図の拡大図に示すように、ピストンシャフトの押圧部５３ａをアームの自由端４２ｂに接触させることができる。これにより、操作シャフト５０を引き戻した後、再び操作シャフト５０を押し込めば、２回目の噴出が可能になる。なお、本実施形態では、アームの自由端４２ｂに角度θのテーパをつけたことで、図５の拡大図に示すように、押圧部５３ａをアームの自由端４２ｂに対して垂直に接触させることができる。
【００３３】
従って、操作シャフト５０を引き戻した後、他方の鼻の穴にノズル６０を挿入して、操作シャフト５０を再度押し込めば、図６に示すように、噴出孔Ａ５から空間Ｒ内に残った点鼻薬Ｃを鼻の穴に噴出することができる。
【００３４】
上述のように、本実施形態によれば、点鼻薬Ｃを小分けして噴出することができる。また、本形態によれば、アーム４２の内側が操作シャフト５０に接触することで、アーム４２の内向きの変形が阻止されるため、操作シャフト５０をアーム４２の内側から引き戻すまで、ストッパ４４の係止が解除されることがない。このため、１回目の噴出の途中にプランジャ３０の押し込みを緩めたり、解除しても、アーム４２はシリンジ２０に対して係止可能な状態を維持する。従って、１回目の噴出途中にプランジャ３０の押し込みを停止しても、１回目の定量を正確に行うことができる。
【００３５】
また、本実施形態のように、アーム４２と操作シャフト５０にそれぞれ、互いに引き戻し可能に嵌合する凹部４５と凸部５３を設け、凹部底面４５ａと凸部端面５３ａを押圧部として構成するとともに、凹部側面４５ｂと凸部側面５３ｂをストッパ解除部として構成すれば、１回目の使用が行われた後のプランジャ３０の位置決めを、簡易かつ容易な構成で実現することができる。
【００３６】
上述したところは、本発明の様々な実施形態であるが、本発明に従えば、様々な変更が可能となる。例えば、本実施形態において、押圧部５３ａ及び４５ａは、軸線Ｏに対して直交するように平坦に構成されているが、本発明に従えば、押圧部５３ａ及び４５ａは、少なくともピストンシャフト４０の押し込みを生起させるように構成されていればよい。このため、押圧部５３ａ及び４５ａは、平坦面に限定されることなく、傾斜面などで構成することもできる。アーム４２は、２以上設けることができる。特に、本実施形態のように、偶数個で配置すれば、軸線Ｏ周りのバランスが安定するため、良好な操作が実現できる。上述の実施形態では、シリンジ型噴出器を噴霧器として説明したが、本発明に従えば、泡として噴出させ、または、通常の液体として噴出させるなど、内容物を様々な形態で噴出させることができる。このため、内容物も、点鼻薬に限定されることなく、様々なものを採用することができる。
【産業上の利用可能性】
【００３７】
本発明は、フランジ部を有するシリンジと、当該シリンジ内に押し込み可能なプランジャとを備えるシリンジ型噴出器であれば、様々な形態のものに採用することができる。内容物も、点鼻薬に限定されることなく、様々なものを採用することができる。
【符号の説明】
【００３８】
１０    点鼻薬噴霧器（シリンジ型噴出器）
２０    シリンジ
２１    胴部
２２    肩部
２３    先端部
２４    指掛け部
３０    プランジャ
４０    ピストンシャフト
４１    保持部本体
４２    アーム
４２ａ  アーム固定端
４２ｂ  アーム自由端
４３    ガイド突起
４３ａ  弾性舌片固定端
４３ｅ  弾性舌片末端
４４    ストッパ
４５    凹部（段差）
４５ａ  凹部底面（押圧部）
４５ｂ  凹部側面（ストッパ解除部）
４６    支持部
４５ａ  支持部上端面
５０    操作シャフト
５１    操作部本体
５２    操作部
５３    凸部
５３ａ  凸部端面（押圧部）
５３ｂ  凸部側面（ストッパ解除部）
５４    シャフト
５４ａ  シャフト本体
５４ｂ  ヘッド
６０    ノズル
６１    噴霧チップ
Ａ１    貫通孔
Ａ２    シリンジ後端開口部
Ａ３    貫通孔
Ａ４    ノズル噴出孔
Ｃ      点鼻薬（内容物）
Ｒ      充填空間
Ｓ      開放空間
【図１】
2014068886.tif 000003
【図２】
2014068886.tif 000004
【図３】
2014068886.tif 000005
【図４】
2014068886.tif 000006
【図５】
2014068886.tif 000007
【図６】
2014068886.tif 000008